(57)【特許請求の範囲】
【請求項１】
中空筒状の本体ケース（１）の内部に、風を送出する送風ファン（６）と、イオン発生装置とを備えている送風装置であって、
本体ケース（１）は、内部に送風ファン（６）を含む電装品が配置された風洞部（２）と、風洞部（２）に連続して形成されて本体ケース（１）の中心軸と交差する向きに吹出口（１３）が開口している吹出部（４）とを備えており、
吹出口（１３）は、グリル（１４）でその前面が覆われており、
イオン発生装置は、放電電極（２５ａ・２５ｂ）と、放電電極（２５ａ・２５ｂ）に高電圧を印加する高電圧発生部（２４）とを含み、
吹出部（４）の先端側の内部に高電圧発生部（２４）と、高電圧発生部（２４）を覆うホルダ（２６）とが配置されており、
放電電極（２５ａ・２５ｂ）は、ホルダ（２６）と一体成形した支持部（４７）に位置決め固定されており、
ホルダ（２６）は、吹出口（１３）を覆うグリル（１４）に対向する平坦壁（３２）を含み、
グリル（１４）の放電電極（２５ａ・２５ｂ）に正対する位置には、イオン出口（１５）が開口されており、イオン出口（１５）の上下に一群の通気スリット（１６）が開口しており、
ホルダ（２６）と吹出口（１３）との間に、風の通気隙間（Ｅ）が確保されており、
放電電極（２５ａ・２５ｂ）の先端が、ホルダ（２６）の平坦壁（３２）で規定される仮想面よりもイオン出口（１５）に向かって突出していることを特徴とする送風装置。
【請求項２】
放電電極（２５ａ・２５ｂ）の支持部（４７）は、端壁（３６）に連続して形成されており、
高電圧発生部（２４）が、平坦壁（３２）に位置決め固定されている請求項１記載の送風装置。
【請求項３】
平坦壁（３２）の周縁に連続して、端壁（３６）と左右側壁（３３・３４）とが設けられており、
高電圧発生部（２４）は、イオン発生用の回路基板（２７）と、トランス（２８）とで構成されており、
回路基板（２７）は、左右側壁（３３・３４）に設けた取付溝（３７）に差し込み固定されており、
トランス（２８）は、左右側壁（３３・３４）のいずれか一方に設けた取付溝（３８）と、平坦壁（３２）の内面に突設した受壁（３９）とで位置決め固定されている請求項２記載の送風装置。
【請求項４】
支持部（４７）が、放電電極（２５ａ）を支持する電極支持壁（４６）と、ホルダ（２６）の端壁（３６）に連続して突設される連繋部（４８）とを備えており、
風の進入を遮る支持部（４７）の内部に、リード線（５３・５４）が配置されている請求項２または３記載の送風装置。
【請求項５】
電極支持壁（４６）と対向する絶縁壁（４２）を有し、
放電電極（２５ａ）と高電圧発生部（２４）を接続する高圧リード線（５３）と、高電圧発生部（２４）に電流を供給する給電リード線（５４）とが、絶縁壁（４２）で区分された状態で配線されている請求項４記載の送風装置。
【請求項６】
イオン発生装置が、イオン発生用の回路基板（２７）と、トランス（２８）と、放電電極（２５ａ・２５ｂ）と、これらの機器が組み付けられるホルダ（２６）とで構成されており、
ホルダ（２６）は、回路基板（２７）およびトランス（２８）が組み付けられる第１装填部（２９）と、放電電極（２５ａ・２５ｂ）が組み付けられる第２装填部（３０）とを備えており、
第１装填部（２９）と第２装填部（３０）とを一体に形成して、前記回路基板（２７）、トランス（２８）および放電電極（２５ａ・２５ｂ）とが、ホルダ（２６）とともにイオン発生装置として１個のユニットに構成されている請求項１記載の送風装置。
【請求項７】
第１装填部（２９）と第２装填部（３０）とが、第１装填部（２９）の一端から伸びる連繋部（４８）を介して一体化している請求項６記載の送風装置。
【請求項８】
連繋部（４８）が複数のリブ壁を含んでいる請求項７記載の送風装置。
【請求項９】
第２装填部（３０）に隣接する第１装填部（２９）の内部に、第２装填部（３０）の側から、トランス（２８）と回路基板（２７）とが順に配置してある請求項６または７または８記載の送風装置。
【請求項１０】
第１装填部（２９）が、四角形状の平坦壁（３２）と、平坦壁（３２）の四周縁に連続して設けられる左右側壁（３３・３４）、上壁（３５）、および下側の端壁（３６）とで容器状に形成されており、
回路基板（２７）は、左右側壁（３３・３４）に設けた取付溝（３７）に差し込み固定されており、
トランス（２８）は、左右側壁（３３・３４）のいずれか一方に設けた取付溝（３８）と、平坦壁（３２）の内面に突設した受壁（３９）とで位置決め固定されており、
第２装填部（３０）に設けた筒壁（４５）および電極支持壁（４６）に、放電電極（２５ａ・２５ｂ）が位置決め固定してある請求項６または７または８または９記載の送風装置。
【発明の詳細な説明】
【０００１】
【発明の属する技術分野】
本発明は、イオン発生装置を備えているドライヤ、扇風機等の送風装置に関する。
【０００２】
【従来の技術】
例えば実開平５−７４４０５号公報においては、中空筒状の本体ケースと、本体ケースの吹出口に装着されるブラシユニットを外殻体にしてヘアドライヤを構成し、本体ケースの内部に送風ファンとモータ、およびヒータなどを直線列状に配置している。本体ケースから吹き出された温風は、ブラシユニットの内部で直交する向きへ変向されて、一群のブリッスルの間から吹き出し供給される。
【０００３】
本発明の送風装置に関して、ブラシユニットの内部にイオン発生装置を配置することは、実公昭５８−１６３２３号公報に公知である。そこでは、ブラシユニットの長手方向両側にスリットを開口し、この開口内部に電極リードを張り渡し、電極リードの複数個所にスリットへ向かって突出する高圧針電極が設けられている。但し、このヘアドライヤにおいては、高圧針電極に印加する高電圧を発生するための電源部が、本体ケースとは別の独立したユニットとして設けてあるので、電源部と高圧針電極とを高圧リード線で接続する必要があり、ヘアドライヤの取り扱い時に高圧リード線が操作の邪魔になって煩わしい。また、プラスイオンとマイナスイオンを髪に吹き付け、髪およびブラシに発生する静電気を除去することを目的としてイオン発生装置が設けられている。
【０００４】
【発明が解決しようとする課題】
この種の送風装置、ここではヘアドライヤにイオン発生装置を構成する全ての電装品を組み込む場合には、ブラシユニットの内部空間を利用してイオン発生装置を組み込むことになる。本体ケースの内部には送風ファン、モータ、およびヒータなどを既に組み込んであるので、本体ケース側にトランスや放電電極を組み込む余地がないうえに、放電電極は吹出口の近傍に配置するほどマイナスイオンを効果的に供給できるからである。
【０００５】
しかし、イオン発生装置を構成する全ての電装品をブラシユニットの内部に集約配置すると、本体ケース側から送られて来た乾燥風が先の電装部品で遮られるため、吹出口の全面から乾燥風を均等に吹き出すことが困難となる。多くの場合は、ブラシユニットの本体ケース寄りの開口部分から乾燥風が吹き出ているに過ぎない。ブラシユニットの太さや幅を大きくすると、ブラシユニットの内部に乾燥風の通路を確保できるが、ヘアドライヤが大型化するのを避けられない。
【０００６】
本発明の目的は、イオン発生装置が吹出部側に内蔵してあるにもかかわらず、吹出部の大型化を避けながら、風を吹出部の全面から吹き出すことができる送風装置を提供することにある。本発明の目的は、イオン発生装置がユニット部品化してあって、その組み付け構造を簡素化できるうえ、組み立てに要する手間も省くことができるドライヤを提供することにある。
【０００７】
【課題を解決するための手段】
本発明の送風装置は、図３に示すように中空筒状の本体ケース１の内部に、風を送出する送風ファン６と、イオン発生装置とを備えている。本体ケース１は、内部に送風ファン６を含む電装品が配置された風洞部２と、風洞部２に連続して形成されて本体ケース１の中心軸と交差する向きに吹出口１３が開口している吹出部４とを備えている。吹出口１３は、グリル１４でその前面が覆われている。イオン発生装置は、図１に示すように放電電極２５ａ・２５ｂと、放電電極２５ａ・２５ｂに高電圧を印加する高電圧発生部２４とを含む。吹出部４の先端側の内部には、高電圧発生部２４と、高電圧発生部２４を覆うホルダ２６とが配置されており、放電電極２５ａ・２５ｂは、ホルダ２６と一体成形した支持部４７に位置決め固定されている。ホルダ２６は、吹出口１３を覆うグリル１４に対向する平坦壁３２を含む。グリル１４の放電電極２５ａ・２５ｂに正対する位置には、イオン出口１５が開口されており、イオン出口１５の上下に一群の通気スリット１６が開口されている。ホルダ２６と吹出口１３との間に、風の通気隙間Ｅが確保してある。放電電極２５ａ・２５ｂの先端が、ホルダ２６の平坦壁３２で規定される仮想面よりもイオン出口１５に向かって突出している。
【０００８】
具体的には、放電電極２５ａ・２５ｂの支持部４７が、端壁３６に連続して形成されている。高電圧発生部２４が、平坦壁３２に位置決め固定されている。
【０００９】
平坦壁３２の周縁に連続して、端壁３６と左右側壁３３・３４とが設けられている。高電圧発生部２４は、イオン発生用の回路基板２７と、トランス２８とで構成されている。回路基板２７は、左右側壁３３・３４に設けた取付溝３７に差し込み固定されており、トランス２８は、左右側壁３３・３４のいずれか一方に設けた取付溝３８と、平坦壁３２の内面に突設した受壁３９とで位置決め固定されている。
【００１０】
支持部４７が、放電電極２５ａを支持する電極支持壁４６と、ホルダ２６の端壁３６に連続して突設される連繋部４８とを備えており、風の進入を遮る支持部４７の内部に、図１に示すごとくリード線５３・５４が配置されている。
【００１１】
電極支持壁４６と対向する絶縁壁４２を有し、放電電極２５ａと高電圧発生部２４を接続する高圧リード線５３と、高電圧発生部２４に電流を供給する給電リード線５４とが、絶縁壁４２で区分された状態で配線してある。
【００１２】
イオン発生装置が、イオン発生用の回路基板２７と、トランス２８と、放電電極２５ａ・２５ｂと、これらの機器が組み付けられるホルダ２６とで構成されており、ホルダ２６が、回路基板２７およびトランス２８が組み付けられる第１装填部２９と、放電電極２５ａ・２５ｂが組み付けられる第２装填部３０とを備えており、第１装填部２９と第２装填部３０とを一体に形成して、前記回路基板２７、トランス２８および放電電極２５ａ・２５ｂとが、ホルダ２６とともにイオン発生装置として１個のユニットに構成されている。
【００１３】
先のイオン発生装置において、第１装填部２９と第２装填部３０とは、第１装填部２９の一端から伸びる連繋部４８を介して一体化することができる。連繋部４８は複数のリブ壁を含んで構成することができる。
【００１４】
第２装填部３０に隣接する第１装填部２９の内部には、第２装填部３０の側から、トランス２８と回路基板２７とを順に配置することができる。第１装填部２９は、四角形状の平坦壁３２と、平坦壁３２の四周縁に連続して設けられる左右側壁３３・３４、上壁３５、および下側の端壁３６とで容器状に形成されている。回路基板２７は、左右側壁３３・３４に設けた取付溝３７に差し込み固定されている。トランス２８は、左右側壁３３・３４のいずれか一方に設けた取付溝３８と、平坦壁３２の内面に突設した受壁３９とで位置決め固定されており、第２装填部３０に設けた電極支持壁４６に放電電極２５ａ・２５ｂを位置決め固定してある。
【００１５】
【発明の作用効果】
本発明では、吹出部４の先端側の内部に嵩高い高電圧発生部２４を配置して、風洞部２から吹出部４内へ吹き込まれた風（冷風若しくは熱風）が、高電圧発生部２４を構成する電気部品によって遮られるのを極力解消した。そのうえで、高電圧発生部２４を覆うホルダ２６と吹出口１３との間に風の通気隙間Ｅを確保して、風が通気隙間Ｅを経由して吹出口１３の上方からも吹き出るようにした。従って、本発明によれば、イオン発生装置が吹出部４側に内蔵されているにもかかわらず、吹出部４の大型化を避けながら、風を吹出口１３の全面から吹き出すことができ、これにより本送風装置をヘアドライヤに適用した場合、髪の乾燥や癖付け等を効果的に行える。このときマイナスイオンを大量に対象物に吹き付けることができるので、プラスに帯電し易い毛髪を中和することができ、髪のパサつきを防止することができる。また、本体ケース１の中心軸と交差する向きに吹出口１３が開口しているので、本体ケースを無理せず自然に握るだけで対象物へ風およびマイナスイオンを送給できる。
【００１６】
ホルダ２６が、風を吹出口１３へ向かって変向案内する端壁３６と、グリル１４と対向する平坦壁３２とを含み、放電電極２５ａ・２５ｂ用の電極支持壁４６が、端壁３６に連続してホルダ２６と一体に形成されていると、イオン発生装置の構成部品点数が減り、ホルダ２６を本体ケース１内に組み付けるだけで、放電電極２５ａ・２５ｂの位置決めおよび固定を同時に行えるので、電極支持壁４６を独立して本体ケース１内に組み付ける場合に比べて、イオン発生装置を組み立てる際の組み立て工数が減少し、その分だけ送風装置の製造コストを削減化できる。
【００１７】
高電圧発生部２４はホルダ２６の平坦壁３２に位置決め固定し、放電電極２５ａ・２５ｂを電極支持壁４６に位置決め固定することにより、高電圧発生部２４および放電電極２５ａ・２５ｂはホルダ２６と一体化して、イオン発生装置を一個のユニット部品としてまとめることができるので、本体ケース１に対する組み付けを少ない手間で行え、製造過程の取り扱い時にリード線で結線された各部品がブラブラし、断線するのを確実に解消できる。
【００１８】
電極支持壁４６と膨出壁４４とで構成した支持部４７の内部にリード線５３・５４が配置されていると、吹出部４内の風の流れを支持部４７で遮って、リード線５３・５４が風の流れに晒されるのを防止できるので、リード線５３・５４による風切音の発生を防止できるし、塵埃がリード線５３・５４のハンダ接続個所に堆積するのを防止できる。また、加熱された風がリード線５３・５４に直接吹き当たるのを避けて、リード線５３・５４の絶縁被覆が溶解するのを防止できる。
【００１９】
放電電極２５ａ用の高圧リード線５３と、給電リード線５４とを絶縁壁４２で区分した状態で配線すると、例えば落下衝撃を受けて給電リード線５４が遊動するような場合でも、給電リード線５４が高圧リード線５３に接近するのを絶縁壁４２で阻止して、高圧リード線５３と針状の放電電極２５ａとの接続箇所から給電リード線５４に向けて放電するのを確実に防止できる。従って、放電電極２５ａによるイオン発生作用を適正に維持し続けることができる。異常放電による給電リード線５４の絶縁破壊も防止できる。
【００２０】
イオン発生用の回路基板２７と、トランス２８と、放電電極２５ａ・２５ｂをホルダ２６に組み付けて１個のユニットとして構成したイオン発生装置によれば、取り付け部に対するイオン発生装置の組み付け構造を簡素化できるうえ、リード線による結線や組み立てに要する手間を省くことができる。さらに、ユニット部品化したイオン発生装置は、回路基板２７から導出される給電リード線５４を電源に接続するだけで、直ちにマイナスイオンを発生できるので、イオン発生装置を備えた電気機器を設計する際の手間や時間を省いて、商品の開発を短期間で能率よく行える。
【００２１】
その際、回路基板２７やトランス２８が組み付けられる第１装填部２９と、放電電極２５ａ・２５ｂが組み付けられる第２装填部３０とでホルダ２６を構成すると、放電電極２５ａ・２５ｂのみをホルダ２６の外面に露出させて、塵埃や湿気を嫌う回路基板２７やトランス２８を第１装填部２９で保護できるうえ、落下衝撃などによる回路基板２７やトランス２８の損傷をホルダ２６でよく保護できる。また、熱風を発生するドライヤに組み付けた場合は、回路基板２７、トランス２８の温度上昇をよく防止できる。
【００２２】
第１装填部２９の一端から伸びる連繋部４８を介して、第２装填部３０が第１装填部２９に一体化されたホルダ２６によれば、第１装填部２９から突出する第２装填部３０の構造を強化して、第２装填部３０に装着される放電電極２５ａ・２５ｂの位置決めおよび固定を確実に行え、常に安定した状態でイオンを発生できる。
【００２３】
第２装填部３０に隣接する第１装填部２９の内部にトランス２８と回路基板２７とが順に配置されたイオン発生装置によれば、回路基板２７で生成したパルス電流をトランス２８で昇圧した後、中央の放電電極２５ａに印加するので、回路基板２７とトランス２８、およびトランス２８と放電電極２５ａとを接続するためのリード線の長さを最短にして、リード線の結線長さを無駄なく最小限化できるうえ、配線形態を簡素化してユニット部品化されたイオン発生装置をさらにコンパクト化できる。
【００２４】
第１装填部２９を容器状に形成したうえで、その左右側壁３３・３４の取付溝３７に回路基板２７を差し込み固定し、さらに左右側壁３３・３４のいずれか一方の取付溝３８と、平坦壁３２の内面に突設した受壁３９とでトランス２８を位置決め固定するようにしたホルダ２６によれば、ホルダ２６に対する回路基板２７およびトランス２８の組み立てを簡単にしかも正確に行える。また、対を為す放電電極２５ａ・２５ｂを第２装填部３０の電極支持壁４６に正確に位置決め固定して、両電極間の放電を安定した状態で適正に行うことができる。連繋部４８が複数のリブ壁を含んで構成されていると、第２装填部３０の構造強度を効果的に増強しながら、軽量化を実現できる。
【００２５】
【実施例】
図１ないし図１２は本発明の送風装置をヘアドライヤに適用した例を示す。ヘアドライヤは、中空筒状の本体ケース１を有する。図２において本体ケース１は、前後に分割形成された前ケース１Ａと後ケース１Ｂとを蓋合わせ状に接合してなり、グリップを兼ねる下半側の風洞部２と、ブラシユニット３が装着される上半側の吹出部４とを備えている。風洞部２の側面上部にはドライヤの運転状態を切り換えるスイッチノブ５と、運転状態を表示するＬＥＤから成る表示灯Ｌとを設けてある。
【００２６】
図３および図４において風洞部２の内部には、乾燥風を生起する送風ファン６と、送風ファン６を回転駆動するモータ７と、ヒータユニット８とが下側から順に直線列状に配置されている。送風ファン６は、風洞部２の下端に設けた吸込口９から吸い込んだ空気を加圧し、吹出部４へ向かって送出する。ヒータユニット８は、十文字に組まれた絶縁枠にニクロム線を螺旋状に巻き付け、その外周囲を金属板製の風洞筒１０で覆ってあり、風洞筒１０内を通過する乾燥風を加熱して温風あるいは熱風を生成する。風洞筒１０と本体ケース１との間には、モータ７およびニクロム線への通電状態を切り換えるためのスイッチ１１を配置してあり、このスイッチ１１がスイッチノブ５で本体ケース１の外面側から切り換え操作できる。送風ファン６によって生起された風の大部分は、風洞筒１０内を通過させて乾燥風として利用するが、送風ファン６によって生起された風の一部は風洞筒１０と本体ケース１との間に流しスイッチ１１の冷却用にも利用している。
【００２７】
図４ないし図６において吹出部４は、風洞部２に連続して一体成形によって中空筒状に形成されており、その前壁のほぼ全面にわたって吹出口１３が開口している。吹出口１３は、本体ケース１の中心軸と交差する向きに開口してあって、本体ケース１内を流れる風が直交方向に吹き出るように構成してあるので、使用時には本体ケース１を無理せず自然に握るだけで、簡単に対象物へ風やマイナスイオンを送給できる。吹出口１３は前ケース１Ａの内部に組み付けたプラスチック製のグリル１４でその全面が覆われている。断面が外凸円弧状に形成されたグリル１４の前壁には、これのほぼ中央部に円形のイオン出口１５が開口しており、イオン出口１５の上下に一群の通気スリット１６が開口している。吹出口１３には、これの左右側縁に沿ってブラシユニット３用の装着部を設けてあり、この装着部にあてがったブラシユニット３を上方から下方へスライド操作することにより、吹出部４にブラシユニット３を係合装着できる。ブラシユニット３を外せば単なる毛髪の乾燥用として使用でき、ブラシユニット３を装着すれば、毛髪のカールや癖付けを効果的に行うことが可能なヘアーブロッサーとして使用できる。
【００２８】
ブラシユニット３は、一群のブリッスル１７が植設されたアーチ形断面のベース１８と、ベース１８を固定支持するブラシ枠１９とからなる。ベース１８には、先のグリル１４と同様に、イオン出口２０と一群の通気スリット２１とがそれぞれ形成されている。
【００２９】
図４において吹出部４の内部には、マイナスイオンを生成するためのイオン発生装置と、内ケース２３と、前記グリル１４とが組み込んである。イオン発生装置は、図６に示すごとく高電圧発生部２４と放電電極２５ａ・２５ｂとを含み、これらの機器をホルダ２６に組み付けて、一個のユニット部品としてある。
【００３０】
高電圧発生部２４は、後述する整流回路５１およびパルス発生回路５２を構成する電気部品（パルス電流発生回路）が実装されたイオン発生用の回路基板２７と、高電圧を生成するトランス２８とからなる。ホルダ２６は容器状に形成された第１装填部２９と、第１装填部２９の下側に突出する第２装填部３０とを一体成形したプラスチック成形品からなり、第１装填部２９に回路基板２７とトランス２８とを組み、第２装填部３０に放電電極２５ａ・２５ｂを組み付けてある。
【００３１】
図７において第１装填部２９は、四角形状の平坦壁３２と、平坦壁３２の四周縁に一体成形して設けた左右側壁３３・３４、上壁３５および下側の端壁３６とで後ろ向きに開口する容器状に形成されている。左右側壁３３・３４の内面上部には取付溝３７をそれぞれ対向状に凹み形成してあり、これらの溝３７に回路基板２７の両側端を差し込んで係合固定してある。トランス２８は、その一角に設けたフランジを左側壁３３に設けた取付溝３８にスライドして嵌め込むとともに、平坦壁３２の内面に一体成形で突設した受壁３９と、それと対向する位置にある後方側の２つのリブとの間でトランス本体を挟持することで位置決め固定されている。
【００３２】
このように回路基板２７、トランス２８、放電電極２５ａ・２５ｂの三者をホルダ２６に対して記載順に配置すると、各部材が電流の流れに沿って配置されるので、各部材を接続するためのリード線の引き回し長さを最短距離化できる。端壁３６は、図１に示すように平坦壁３２へ向かって昇り傾斜していて、風洞部２から吹出部４内へ吹き出された乾燥風を受け止めて、後述する風ガイド壁２３ａと協同して吹出口１３へ向かって変向案内する。
【００３３】
図１、図６、図８において内ケース２３は、前向きに開口する樋状のプラスチック成形品からなり、その上部に縦断面がＵ字状で横断面がコ字状（図８参照）の受座４１を形成し、受座４１の中途部に絶縁壁４２を形成してある。図１２に示すように受座４１の両側には、同受座４１のＵ字始端に連続し、昇り傾斜する風ガイド壁２３ａが一体成形してある。図７に示すように第２装填部３０は端壁３６の中途部に一体成形で連続して張り出される平面形状がＵ字状の縦壁４３と、縦壁４３の周縁に一体成形で連続して突設される縦断面Ｕ字状の膨出壁４４とで構成してあり、縦壁４３の下端に前後向きの筒壁４５を一体成形で突設し、筒壁４５の内部にイオン発生器の放電電極２５ａを位置決め固定するための電極支持壁４６が同じく一体成形で形成されている。縦壁４３と膨出壁４４とで連繋部４８が構成される。そして、連繋部４８と、筒壁４５と、電極支持壁４６との三者で放電電極２５ａ・２５ｂを支持する支持部４７が構成される。また、縦壁４３に左右一対の直線状のリブ壁としての膨出壁４４を形成した上で、電極支持壁４６を端壁３６と一体化しているので強度の面で有利である。直線状のリブ壁は一本のみであってもよく、この場合膨出壁４４の縦断面形状はＪ字状となる。またリブ壁は縦壁４３の中央にあってもよく、ジグザグ状、湾曲状であってもよい。
【００３４】
電子を放出する側の針状の放電電極（中央電極）２５ａは、図１に示すごとく電極支持壁４６の中央に差し込んでシリコンゴム４９で固定し、針状の放電電極２５ａの電子放出のきっかけをつくる目的で配置された筒状の放電電極（対向電極）２５ｂを筒壁４５の外面に固定することにより、両放電電極２５ａ・２５ｂが筒壁４５を間にして同心状に位置する。高電圧発生部２４と放電電極２５ａ・２５ｂとを組み付けたホルダ２６は、膨出壁４４の後方側端面が受座４１の前方側端面と接合する状態で後ケース１Ｂに組み付け、ホルダ２６を内ケース２３とグリル１４とで前後方向から挟持することにより、イオン発生装置の全体を本体ケース１に固定する。この組み付け状態において、ホルダ２６の端壁３６と内ケース２３の風ガイド壁２３ａとは、略面一状に傾斜して受座４１および第２装填部３０を回り込んだ乾燥風を斜め上方へ案内（図１破線矢印参照）する。
【００３５】
この組み付け状態において、放電電極２５ａは図８に示すようにグリル１４に設けたイオン出口１５と正対し、図１および図９に示すごとく、平坦壁３２とグリル１４との間に、乾燥風の進入を許す通気隙間Ｅが確保される。従って、吹出部４内に吹き出された乾燥風は、イオン出口１５より下方の通気スリット１６から吹き出されるのはもちろんのこと、先の通気隙間Ｅ内へも入り込んで通気隙間Ｅに臨む通気スリット１６からも吹き出る。つまり、グリル１４に設けた全ての通気スリット１６とイオン出口１５から乾燥風が吹き出るようにすることができる。グリル１４は、吹出口１３を覆うことで通気隙間Ｅを確保するとともに高電圧発生部２４や放電電極２５ａなどの吹出部４内の電装部品を外力から保護している。回路基板２７やトランス２８が収納される空間Ｓと、乾燥風の通路空間Ｂとは、図１に示すようにホルダ２６、内ケース２３、支持部４７などによって区分されているので、乾燥風が空間Ｓ内へ入り込むことはない。従って、回路基板２７に実装された電気部品や、トランス２８、および高圧リード線５３、給電リード線５４などが高温の乾燥風に晒されて劣化し、あるいは風切音が発生するのをよく防止できる。平坦壁３２の存在は乱流を防止しながら吹出口１３へ向かって乾燥風を送出する効果がある。端壁３６および風ガイド壁２３ａの存在によって、端壁３６の下方側に固定される放電電極２５ａ・２５ｂの近傍を吹出口１３に向かって流れる乾燥風がその上方（先端）側，下方側に比べ増大することで、放電電極２５ａ・２５ｂによって生成されたマイナスイオンをこの増大した風によって遠くに飛ばすことができ、乾燥を行いながら対象物（例えば毛髪）に効果的にマイナスイオンを送給することができる。なお、図１における実線矢印，破線矢印は、風の流れを表しているものであるが、これは参考までに表現したものであり、実際は前述したように放電電極２５ａ・２５ｂの近傍から吹き出される風が多く、吹出口１３における上方側，下方側から吹き出される風の量は放電電極２５ａ・２５ｂの近傍から吹き出される風に比べ少ない。
【００３６】
図１１はヘアドライヤの電気回路の概略を示す。そこでは、商用電源からの１００Ｖの電流を整流回路５１で半波整流したのちパルス発生回路５２でパルス電流に変換する。ついでパルス電流をトランス２８で昇圧（４ＫＶ）して、針状の放電電極２５ａに印加し、該電極２５ａから周囲の放電電極２５ｂに向かって電子を放出させる。これにより、空気中の酸素、微少水滴、塵がマイナスに帯電してマイナスイオン化する。マイナスイオンは、乾燥風によって主にイオン出口１５から吹き出て髪に付着する。スイッチノブ５のスライド操作によって本実施例のヘアドライヤの駆動状態は次のように切り換わる。ＯＦＦ位置から一段階のスライドでモータ７、イオン発生装置の駆動（冷風による乾燥風）を行い、二段階のスライドでモータ７、イオン発生装置およびヒータ８の半波（３５０Ｗ）の駆動（温風による乾燥風）を行い、三段階のスライドでモータ７、イオン発生装置およびヒータ８の全波（７００Ｗ）の駆動（熱風による乾燥風）を行うようにしている。一段階〜三段階の何れの状態でも運転状態を表示する表示灯Ｌは点灯する。図２に示すように表示灯Ｌはスイッチノブ５のスライド方向の延長線上にあり、使用者が運転状況を把握し易い。仮にモータに毛髪が絡みつきモータロックの状態のまま放置すれば発火のおそれがあり危険であるが、それを使用者に可及的に速やかに認識させることができる。
【００３７】
ヘアドライヤを構成する全ての電気機器は、予め結線された状態で後ケース１Ｂに組み込むが、図１および図１０に示すように放電電極２５ａとトランス２８とを接続する高圧リード線５３と、高電圧発生部２４に電流を給電する給電リード線５４とは、内ケース２３の受座４１の近傍で隣接し、とくに高圧リード線５３の耐圧仕様が６〜１０ＫＶであるのに対し、給電リード線５４の絶縁被覆の耐圧仕様が３００Ｖと小さいため、被覆が途切れる高圧リード線５３の針状の放電電極２５ａとの接続箇所から給電リード線５４に向けて放電するおそれがある。
このような異常放電を避けるために、内ケース２３に絶縁壁４２を設け、両リード線５３・５４が異常接近するのを防ぐ。また絶縁壁４２と一体成形で同壁４２の両端部から側壁（図８参照）を形成しており、これによってさらに異常接近を防止できる。なお、本実施例の針状の放電電極２５ａは高圧リード線５３による絶縁被覆が途切れる接続箇所にシリコンゴム４９で絶縁被覆して針の先端以外からの放電を防止しているが、落下衝撃や経時的にシリコンゴム４９にクラックが入り絶縁被覆できていない部分が生じるおそれがある。このとき耐圧の低い給電リード線５４が近付くと同リード線５４側にも放電しイオン発生に支障を来すおそれがあったが、絶縁壁４２によってそれを防止することができるものである。
【００３８】
図１３は本発明の別実施例を示す。そこでは、内ケース２３を省略して、ホルダ２６の端壁３６および支持部４７を後方に延長し、ホルダ２６を後ケース１Ｂに直接接触させ組み付けるようにした。ただ本実施例の場合、給電リード線５４が乾燥風に晒されることになる。しかし支持部４７から下方に向けて一体成形で覆い板を形成すれば通路空間Ｂとは区画できる。他は先の実施例と構成、効果全て同じであるので、同じ部材に同じ符号を付してその説明を省略する。以下の別実施例においても同様に扱う。
【００３９】
（参考実施例）
図１４に示すように、中央の放電電極２５ａは装着ピース５６に予め組み付けておき、装着ピース５６を筒壁４５に嵌合固定して、中央の放電電極２５ａを第２装填部３０に組むことができる。
【００４０】
上記実施例のように第１装填部２９と第２装填部３０とを一体成形する以外に第２装填部３０は第１装填部２９と別体の部品で構成しておき、その筒壁４５の後端を第１装填部２９に圧嵌係合して、第２装填部３０を第１装填部２９と一体化するよう構成することができる。この場合、構成部品点数は１つ増えるが、第１装填部２９と第２装填部３０とをユニット化できる点では優れており、一体成形の上記実施例と同様に、トランス２８と放電電極２５ａを接続する高圧リード線５３のブラブラ状態による断線をよく防止できる。
【００４１】
また第１実施例における吹出部４は風洞部２に対して着脱自在の構造とすることもできる。この場合、吹出部４側にある電装品と風洞部２側にある電装品とを電気的に接続するためコネクタを使用する。放電部の電極は、マイカ、セラミック等からなる板状の絶縁体（誘電体）の表と裏とに放電電極と誘導電極を配置した沿面放電型の構造や、２個の針状電極を対向配置した電極構造などに変更でき、イオンの発生が可能であればその構造は何ら限定されない。
【００４２】
また本発明の送風装置は、乾燥とともにマイナスイオン発生による心身のリフレッシュ効果もあるので、対象物が手、足、肩等の身体の他の部位を乾燥する身体乾燥用ドライヤであってもよく、さらに温風利用の温熱治療器としても応用できる。また本発明の送風装置は、顔や口内に使用する場合、ドライヤとして機能させるのではなくヒータを有しないイオン供給装置として応用できる。またヒータを有しない小型の手持ち式扇風機として構造変更できる。本発明のイオン発生装置は、実施例で説明したヘアドライヤ以外に、ハンドドライヤ、足乾燥機、ヘアカーラー、ヘアストレーター、空気清浄機、エアコン、扇風機などの電気機器にも適用することができる。なお、前述の実施例においてはすべてマイナスイオンを送給する場合について説明したが、送給対象がプラスイオンであってもよく、その場合は、図１１におけるダイオードを反転した状態で接続する。
【図面の簡単な説明】
【図１】ドライヤの吹出部の縦断側面図である。
【図２】ドライヤの全体側面図である。
【図３】ドライヤの一部破断正面図である。
【図４】ドライヤの要部の破断側面図である。
【図５】ブラシユニットを分離した状態での吹出部の正面図である。
【図６】吹出部の構成部材を分離した状態での側面図である。
【図７】イオン発生装置の分解斜視図である。
【図８】図４におけるＡ−Ａ線断面図である。
【図９】図４におけるＢ−Ｂ線断面図である。
【図１０】イオン発生装置の配線状態を示す背面図である。
【図１１】イオン発生装置の回路構造を示すブロック図である。
【図１２】ホルダと内ケースに組み付け構造を示す斜視図である。
【図１３】ホルダの別実施例を示す縦断側面図である。
【図１４】放電電極の支持構造の変形例を示す断面図である。
【符号の説明】
１  本体ケース
２  風洞部
３  ブラシユニット
６  送風ファン
１３  吹出口
２５ａ・２５ｂ  放電電極
２６  ホルダ
２７  回路基板
２８  トランス
３２  平坦壁
４６  電極支持壁
Ｅ  通気隙間
【図１】
0004554872.tif 000002
【図２】
0004554872.tif 000003
【図３】
0004554872.tif 000004
【図４】
0004554872.tif 000005
【図５】
0004554872.tif 000006
【図６】
0004554872.tif 000007
【図７】
0004554872.tif 000008
【図８】
0004554872.tif 000009
【図９】
0004554872.tif 000010
【図１０】
0004554872.tif 000011
【図１１】
0004554872.tif 000012
【図１２】
0004554872.tif 000013
【図１３】
0004554872.tif 000014
【図１４】
0004554872.tif 000015